(57)【要約】      （修正有）【課題】仰臥で使用する場合、手で抑えなくても転倒せず、また中断する度にわざわざ除ける手間が掛からず、更に椅子に座つて使用する場合、適切な高さ位置に載置板を配置できるような書見台を提供する。【解決手段】基板に二本の支柱を回動自在、且つ着脱自在に立設し、前記支柱に高さ調整板を上下に移動自在に取り付け、その高さ調整板に連結金具を回動自在、且つ着脱自在に取り付け、その連結金具に載置板を斜め水平方向に回動自在、且つ着脱自在に取り付ける。【選択図】図１
2007029693.tif 000002
【特許請求の範囲】
【請求項１】
載置板と支柱と基板で構成した書見台において、基板にニ本の支柱を回動自在、且つ着脱自在に立設し、前記支柱に高さ調整板を上下に移動自在に取り付け、その高さ調整板に連結金具を回動自在、且つ着脱自在に取り付け、その連結金具に載置板を斜め水平方向に回動自在、且つ着脱自在に取り付けたことを特徴とする書見台。
【請求項２】
基板に連結金具を回動自在、且つ着脱自在に取り付け、載置板に連結金具を斜め水平方向に回動自在、且つ着脱自在に取り付け、前記両連結金具を、二本の支柱連結板をマジツクテープバンドで一体に摺動自在に捲着し一本に形成した支柱で連結した書見台。
【発明の詳細な説明】
【技術分野】
【０００１】  本発明は、仰臥と、床で座位と椅子で座位に使用可能な書見台に関する。
【背景技術】
【０００２】  従来の仰臥と座位で使用可能な書見台で、仰臥で使用する場合は、身体の胸部と腹部の上部に置くようにしたものがある。（例えば、特許文献１参照）
また、二本の支柱の間に身体を置き、身体の上方に載置板を配置したものもある。（例えば、特許文献２参照）【０００３】  以下、図７（１）（２）により従来の書見台について説明する。図において、１は載置板で、６は支柱で、８は基板で、１１は支え杆である。支え杆１１は支柱６に回動自在に取り付けている。【０００４】  二本の支柱６に、夫々支え杆１１を回動自在に取り付け、支柱６と支柱６に載置板１を、上下に移動自在に取り付けている。【０００５】
【特許文献１】  特許出願番号２００５−１１３８７５
【特許文献２】  特許出願番号２００５−１５１５５５
【発明の開示】
【発明が解決しようとする課題】
【０００６】  以上に述べた従来の書見台では、仰臥で使用する場合、身体の上部に置くため、転倒しないよう手で抑えていなければならなかつた。また二本の支柱の間に身体を置いて使用するものは、使用を中断する度に除ける手間がかかり、窮屈で使いづらかつた。更に机やテーブルの上に置いて椅子に座つて使用する場合、構造上載置板の位置が高めになるという欠点があつた。【０００７】  本発明は、このような従来の構成が有していた問題を解決しようとするものであり、仰臥で使用する場合、手で抑えなくても転倒せず、また中断する度にわざわざ除ける手間が掛からず、更に椅子に座つて使用する場合、適切な高さ位置に載置板を配置できるような書見台を実現することを目的とするものである。
【課題を解決するための手段】
【０００８】  そして、本発明は上記目的を達成するために第１の課題解決手段は、載置板と支柱と基板で構成した書見台において、基板に二本の支柱を回動自在、且つ着脱自在に立設し、前記支柱に高さ調整板を上下に移動自在に取り付け、その高さ調整板に連結金具を回動自在、且つ着脱自在に取り付け、その連結金具に載置板を斜め水平方向に回動自在、且つ着脱自在に取り付けたものである。【０００９】  基板と支柱、高さ調整板と連結金具、連結金具と載置板はビスと蝶ナツトで回動自在、且つ着脱自在に取り付けるとよい。高さ調整板の両側に割溝を設けた支柱挿通孔を穿設し、その支柱挿通孔に支柱を挿通し上下に移動させて希望する載置板の高さを決めるとよい。そして割溝をビスと蝶ナツトで締め付けて固定するとよい。連結金具は両側を直角に折り曲げ、且つ中間部を中折りして直角部分が傾斜するようにするとよい。【００１０】  また、第２の課題解決手段は、基板に連結金具を回動自在、且つ着脱自在に取り付け、載置板に連結金具を斜め水平方向に回動自在、且つ着脱自在に取り付け、前記両連結金具を、二本の連結板をマジツクテープバンドで一体に摺動自在に捲着し、一本に形成した支柱で連結したものである。【００１１】  マジツクテープは凸凹混在に形成したのものか、片面が凸で片面が凹に形成したものを使用するとよい。【００１２】  上記第１の課題解決手段による作用は次ぎの通りである。すなわち、仰臥で使用する場合は、図５（１）（３）に示すように、載置板の向きが下向きになるように回動させて固定する。身体が基板の一部を抑えるようにし、且つ片手が自然に基板に置くようにして書見台を安定して立設する。身体の重みで抑えるので、布団、マツトレスの上に置いても転倒することはない。最良に見やすい載置板の向きは、回動自在に取り付けている三か所の取り付けを調整して決める。また載置板の高さは高さ調整板を上下に移動させて決める。【００１３】  机やテーブルの上に置いて使用する場合は、図５（２）に示すように、高さ調整板と連結金具の取り付け部を外し、更に基板から支柱を外し、連結金具を基板に取り付け、載置板の向きが斜め上向きになるように設定して固定する。【００１４】  床の上に置いて使用する場合は、図１に示すように、高さ調整板を支柱に沿つて上下させ、最良の高さ位置に調節して使用する。【００１５】  また、第２の課題解決手段による作用は、床に置いて使用する場合は、図３に示すように連結板を上下させ、同時にマジツクテープも上下させ最良の高さ位置を設定する。仰臥で使用する場合は図６（１）に示すように、載置板を斜め下向きになるように回動させて使用する。机やテーブルで椅子座位で使用する場合は、図６（２）に示すように上部の支柱連結板と連結金具の取り付けと下部の支柱連結板と連結金具の取り付けを外し、上部の連結金具と下部の連結金具を直接取り付けて使用する。
【発明の効果】
【００１６】  上述したように本発明の書見台は、仰臥で使用する場合、基板を身体で抑えることができるので安定して立設することができ、手で抑えなくても転倒することがない。【００１７】  読書を中断して起き上がる場合、書見台をそのままにして起き上がることができるので、取り除く等の手間が掛からない。【００１８】  載置板に取り付けた連結金具は、着脱自在にし、直接基板に取り付けたり、連結金具と連結金具を取り付けることができるようになつたので、机やテーブルに置いて使用する場合、載置板を適切な高さ位置に配置できるようになつた。
【発明を実施するための最良の形態】
【００１９】  以下、本発明の実施の形態を図１〜図６に基づいて説明する。【００２０】  図においては、１は本を置く縦断面逆Ｌ字形状の載置板で、載置板１には本の表紙をクリツプで取り付ける二箇の本支え補助板２と、本の落下とページの捲りあがりを防止する二箇のページ押え３を回動自在に取り付けている。４は連結金具で逆コ字中折れ形状で、上部は傾斜を形成している。連結金具４は載置板１の下部中央と高さ調整板５の上部中央に回動自在、且つ着脱自在にビス１５と蝶ナツト１６で取り付けて連結している。高さ調整板５は板状の四方形体で、長手方向の両側に支柱６に挿通する挿通孔１２を穿設している。挿通孔１２には割溝１３を設け、割溝１３に直角に貫通孔１４を穿設して、その貫通孔１４にビス１５を挿通して蝶ナツト１６で締着して、支柱６に挿通した高さ調整板５を固定している。二本の支柱６の下部は、板状四方形体の支柱連結板７に取り付けている。８は板状四方形体の基板で支柱連結板７とビスと蝶ナツト１６で取り付けている。【００２１】  図においては、９は支柱連結板を示している。二本の支柱連結板９を二箇のマジツクテープ１０で上下に摺動自在に捲着して一体に形成して、一本の支柱６を示している。支柱
2007029693.tif 000003
在、且つ着脱自在にビス１５と蝶ナツト１６で取り付け、支柱６の下部にＬ字形状の連結金具４を基板８に回動自在、且つ着脱自在にビス１５と蝶ナツト１６で取り付けている。
【図面の簡単な説明】
【００２２】
【図１】本発明の実施形態を示す斜視図
【図２】図１の矢視Ｉ−Ｉの拡大断面図
【図３】本発明の実施形態を示す斜視図
【図４】図３の矢視ＩＩ−ＩＩの拡大断面図
【図５】（１）  仰臥で使用状態を示す側面参考図  （２）  机やテーブルで座位の使用状態を示す側面参考図  （３）  仰臥で使用状態を示す平面参考図
【図６】（１）  仰臥で使用状態を示す側面参考図  （２）  机やテーブルで座位の使用状態を示す側面参考図
【図７】（１）  従来の書見台の斜視図  （２）  従来の書見台の視視図
【符号の説明】
【００２３】  １  載置板
２  本支え補助板
３  ページ押え
４  連結金具
５  高さ調整板
６  支柱
７  支柱連結板
８  基板
９  連結板
１０  マジツクテープのバンド
１７  本
【図１】
2007029693.tif 000004
【図２】
2007029693.tif 000005
【図３】
2007029693.tif 000006
【図４】
2007029693.tif 000007
【図５】
2007029693.tif 000008
【図６】
2007029693.tif 000009
【図７】
2007029693.tif 000010